(57)【特許請求の範囲】
【請求項１】
ムーブメントが収納される胴と該胴の上方に配置されるベゼル及び前記ムーブメントの上方を覆う風防とを有する腕時計において、前記ベゼルと前記胴との間に弾性を有する頂部緩衝体を、また該頂部緩衝体と前記胴との間に風防受け部材を設けて該風防受け部材で前記風防を保持すると共に、前記ムーブメントと前記風防受け部材との間に更にムーブメント緩衝体が配置されているもので、前記ベゼルには外周下側環状突部が形成され、また前記頂部緩衝体には外周に上部段部が内周に下部段部が各々形成されていて、前記外周下側環状突部が前記頂部緩衝体の上部段部に係合すると共に、前記頂部緩衝体の下部段部に前記風防受け部材が配置されており、前記頂部緩衝体を前記風防の上周縁の面に当接させることで前記風防への緩衝効果を有するよう配置され、且つ前記ベゼルと前記胴とを固定手段により固定したことを特徴とする腕時計ケース。
【請求項２】
前記ムーブメントと前記風防受け部材との間には、更に見返しリングを有し、前記ムーブメントと前記見返しリングとの間に前記ムーブメント緩衝体が配置されると共に、前記見返しリングと前記風防受け部材との間に見返しリング緩衝体が配置されることを特徴とする請求項１に記載の腕時計ケース。
【請求項３】
前記見返しリングには、前記風防受け部材の内縁側面まで立ち上がった上方延長部と下方に垂下した下方延長部を備え、前記上方延長部と前記胴の内壁側面との間に前記見返しリング緩衝体が配置され、前記下方延長部と前記胴の内壁側面との間に前記ムーブメント緩衝体が配置されていることを特徴とする請求項２に記載の腕時計ケース。
【請求項４】
前記ムーブメントの側面と、前記胴の内壁側面との間に、弾性を有する筒状緩衝体を配置したことを特徴とする請求項１から３のいずれかに記載の腕時計ケース。
【請求項５】
前記固定手段が前記ベゼルと前記頂部緩衝体を貫通して前記胴に螺着されたネジであり、該ネジが前記風防受け部材の外周に形成された凹部と係合し、前記風防受け部材の横方向の移動を規制するよう形成したことを特徴とする請求項１から４のいずれかに記載の腕時計ケース。
【請求項６】
前記頂部緩衝体の内周下面には斜面が形成され、該斜面が前記風防外周の斜面に当接していることを特徴とする請求項１から５のいずれかに記載の腕時計ケース。
【発明の詳細な説明】
【０００１】
【発明の属する技術分野】
本発明は、腕時計ケース、特にケース内のモジュールを保護する耐衝撃構造を有する時計ケースに関するものである。
【０００２】
【従来の技術】
耐衝撃構造として、実公平６−１７１１０号公報記載の時計ケースが知られている。図１２はその時計ケースを示す断面図で、金属製の内胴１とペルプレンなどの硬質な構成樹脂より成る外胴２との間に、ポリウレタンゴムなどの弾性材より成る緩衝体が設けられて、この緩衝体３は外胴と緩衝体を貫通した固定ネジ４を内胴１に螺入することにより内胴１と外胴２との間に固定されている。
【０００３】
【発明が解決しようとする課題】
図１２の従来技術に用いられているペルプレンなどの硬質な構成樹脂による外胴２は異物との接触、衝撃等に対し充分な耐傷性や耐磨耗性を発揮できない。従って、長期にわたり腕時計を使用した場合、外胴に傷がついたり、磨耗することになる。
また、固定ネジ４が内胴に螺入されているので、固定ネジに衝撃が加わると、その衝撃が内胴に伝わり、内胴に収納されたムーブメントが破壊されることがある。
【０００４】
従って、本発明の第一の目的は、腕時計ケースの各部に加えられる衝撃に対し、ケース内の各部を保護できる腕時計ケースを提供するにある。
第二の目的は、外胴及び内胴からムーブメントに衝撃が伝わりにくい腕時計ケースを提供することにある。
【０００５】
【課題を解決するための手段】
請求項１による発明は、ムーブメントが収納される胴と該胴の上方に配置されるベゼル及び前記ムーブメントの上方を覆う風防とを有する腕時計において、前記ベゼルと前記胴との間に弾性を有する頂部緩衝体を、また該頂部緩衝体と前記胴との間に風防受け部材を設けて該風防受け部材で前記風防を保持すると共に、前記ムーブメントと前記風防受け部材との間に更にムーブメント緩衝体が配置されているもので、前記ベゼルには外周下側環状突部が形成され、また前記頂部緩衝体には外周に上部段部が内周に下部段部が各々形成されていて、前記外周下側環状突部が前記頂部緩衝体の上部段部に係合すると共に、前記頂部緩衝体の下部段部に前記風防受け部材が配置されており、前記頂部緩衝体を前記風防の上周縁の面に当接させることで前記風防への緩衝効果を有するよう配置され、且つ前記ベゼルと前記胴とを固定手段により固定したことを特徴とする。
ベゼルに加わる衝撃は、頂部緩衝体に吸収されるので風防に伝わることはない。また衝撃は、頂部緩衝体やムーブメント緩衝体に吸収されるのでムーブメントに伝わることもない。更に衝撃により風防受け部材が大きく変位してもベゼルと胴の間から抜脱する危険を排除できる。よって、衝撃からムーブメントを保護することができる。さらに、ベゼルや風防の破損を防ぐこともできる。特に割れやすい風防を保護できる。
【０００９】
請求項２による発明は、前記ムーブメントと前記風防受け部材との間には、更に見返しリングを有し、前記ムーブメントと前記見返しリングとの間に前記ムーブメント緩衝体が配置されると共に、前記見返しリングと前記風防受け部材との間に見返しリング緩衝体が配置されることを特徴とする。
衝撃がムーブメント緩衝体及び見返しリング緩衝体の両者に吸収されてムーブメントに伝わらないばかりか、衝撃により風防受け部材と見返しリングとが衝突して破損する危険を排除できる。特に風防に負荷された衝撃が、風防受け部材を介して見返しリング緩衝体に吸収されるので、割れやすい風防を保護できる。
【００１０】
請求項３による発明は、前記見返しリングには、前記風防受け部材の内縁側面まで立ち上がった上方延長部と下方に垂下した下方延長部を備え、前記上方延長部と前記胴の内壁側面との間に前記見返しリング緩衝体が配置され、前記下方延長部と前記胴の内壁側面との間に前記ムーブメント緩衝体が配置されていることを特徴とする。
見返しリングの上方延長部の壁部と胴の内壁側面との間に形成された凹部内に見返しリング緩衝体が配置され、見返しリングの下方延長部の壁部と胴の内壁側面との間に形成された凹部内にムーブメント緩衝体が配置されるので、衝撃が負荷されても、風防受け部材と見返しリングとの間から見返しリング緩衝体が外れることはないし、見返しリングの下方延長部からムーブメント緩衝体が外れることはない。また、見返しリングに負荷される横方向の衝撃が、壁部の側面と両緩衝体との当接により吸収される。
【００１１】
請求項４による発明は、前記ムーブメントの側面と、前記胴の内壁側面との間に、弾性を有する筒状緩衝体を配置したことを特徴とする。
特に、胴の外壁の側面から負荷される横方向の衝撃が筒状緩衝体に吸収され、ムーブメントに伝わらない。
【００１２】
請求項５による発明は、前記固定手段が前記ベゼルと前記頂部緩衝体を貫通して前記胴に螺着されたネジであり、該ネジが前記風防受け部材の外周に形成された凹部と係合し、前記風防受け部材の横方向の移動を規制するよう形成したことを特徴とする。
衝撃が頂部緩衝体に吸収されてムーブメントに伝わることはない。
【００１３】
請求項６による発明は、前記頂部緩衝体の内周下面には斜面が形成され、該斜面が前記風防外周の斜面に当接していることを特徴とする。
衝撃による風防や風防受け部材が破損する危険を排除できる。
【００１５】
【発明の実施の形態】
図１は本発明によるケースを用いた腕時計の平面図、図２はその正面図、図３は断面図、図４は図１のＩＶ−ＩＶ断面図、図５は図１のＶ−Ｖ断面図、図６は図１のＶＩ−ＶＩ断面図、図７、図８は本発明による時計ケース全体の斜視分解図、図９は本発明による時計ケースの分解断面図である。
本発明による腕時計ケースは金属製の内胴２０及び金属製の外胴２１よりなり、外胴２１はバンド２２を連結する為の一対の連結脚２３が両側に形成されている。
【００１６】
内胴２０は図５に示すように本体２０ａと底部２０ｂよりなる。底部２０ｂの上には環状で合成樹脂製の弾性を有する底部緩衝体１５及び耐磁部材３１を介してムーブメント３０が配置され、耐磁部材３１の外周と本体２０ａとの間に筒状緩衝体１４が配置されている。
ムーブメント３０の上にはソーラーセル１７及びムーブメントの文字板固定部１６を介して文字板３４、ムーブメント緩衝体２８、見返しリング２７、見返しリング緩衝体２６、耐磁性材料よりなる風防受け部材２５、頂部緩衝体２４及びベゼル１３が順次重ねられている。更に風防受け部材２５の上には風防固定兼防水用パッキン１８（図３）を介して風防３３が固定されている。また、風防受け部材２５の外周と内胴本体２０ａとの間に固定兼防水用パッキン１９（図３）が介在されている。
内胴２０と外胴２１との間には、環状で合成樹脂製の弾性を有する外周緩衝体３５が介在される。両胴は円周上４個所において半径方向に配設された固定ネジ３６により固定されている。緩衝体３５は外胴２１に対し凹凸部３９で係合しているので、外胴に衝撃が加えられても緩衝体がずれたり外れたりすることがない。
【００１７】
固定ネジ３６は、図５に示すように、頭部３６ａ、大径部ネジ３６ｂ、小径先端部３６ｃよりなり、大径部ネジ３６ｂは外胴２１のネジに螺合し、先端部３６ｃは緩衝体３５を貫通し、内胴２０の孔３７に嵌められたカップ状の緩衝体３８内に係合している。尚、緩衝体３８は底のない筒体でもよい。
本時計ケースにはネジロック竜頭４０が採用されている。このネジロック竜頭は、内胴２０の孔５５に固定された支持筒５６と、支持筒５６のネジ部にネジ５７で結合支持された竜頭５８と、時計の巻真６０にネジ６１で結合され、支持筒５６に回転可能に支持された巻真連結部材６２と、巻真連結部材６２と竜頭５８との間に設けられたコイルスプリング６３とよりなる。竜頭５８は外胴２１に係合固定されたガードパイプ４１内に摺動及び回転可能に支持されている。
竜頭５８を回転させてネジ部５７が支持筒５６より外れると、コイルスプリング６３により竜頭５８が外方に突出し、竜頭内壁の断面多角形の係合孔部６４が巻真連結部材６２の対応する外壁多角形係合部６５と係合し、竜頭を回すことにより連結部材６２を介して巻真６０を回転させ、時計を合わせることができる。
【００１８】
次に、本発明を構成する各部を詳細に説明する。
図１及び図４に示すように、ベゼル１３は四個のネジ７０で内胴２０の本体２０ａに固定されている。ネジ７０は頂部緩衝体２４の孔２４ａを貫通し、また風防受け部材２５の外周に形成された凹部２５ａに係合している。
緩衝体２４はベゼルの下面全面に亘る幅を有し、外周上部段部７１（図５）と内周下部段部７２とを有し、段部７１はベゼルの外周下側環状突部７３に係合し、段部７２は風防受け部材２５の外周縁と係合している。また緩衝体２４は内周下縁に斜面７４が形成され、之が風防３３の上周縁の斜面７５に当接している。
【００１９】
ムーブメント緩衝体２８は下方への段部２８ａを有し、ここにムーブメントの文字板固定部１６が係合している。
以上の構成であるから、ベゼル１３の上方より衝撃が加えられた時は、緩衝体２４によりその衝撃が内胴２０及びその内部のムーブメント３０その他各部に伝わるのを防いでいる。また、ベゼルの径方向の衝撃が加わると、緩衝体２４の段部７１で受け、風防３３等を保護する。
更に風防３３に軸方向及び径方向の衝撃が加えられても緩衝体２４の斜面７４で受け、風防が外れるのを防ぎ、また径方向の衝撃に対しては、風防受け部材２５を介して緩衝体が外力を吸収し、風防を保護することができる。また、ネジ７０が風防受け部材２５の凹部２５ａに係合しているので、その部材の偏位を防いでいる。
【００２０】
見返しリング緩衝体２６は風防３３に加えられた衝撃により風防受け部材２５が見返しリング２７に当たって何れかが破損するのを防ぎ、また風防自体が破損するのを防いでいる。更に、ベゼル１３に対する衝撃がムーブメント３０に伝わるのも防いでいる。
一方、見返しリング２７は上方下方に延長部２７ａ、２７ｂを有し、緩衝体２６及び２８を隠し、特に延長部２７ａは風防受け部材の所まで延長され緩衝体が外部から見えないようにしている。更に、径方向の衝撃が加えられても、延長部２７ａが緩衝体２６に当り、リングの破損を防ぐことができる。
【００２１】
ムーブメント緩衝体２８は、軸方向の衝撃がムーブメント３０に伝わるのを防ぎ、また見返しリング２７がムーブメントに当るのを防いでいる。更に文字板３４の外周上面に当接し、文字板を抑えている。
筒状緩衝体１４は、外胴２１及び内胴２０に加わる外力を吸収してムーブメントに伝わるのを防ぐ。また段部１４ａにより耐磁部材３１を介してムーブメントを保持している。
ムーブメント緩衝体２８の下側段部２８ａは径方向のムーブメントに対する衝撃を受け、ムーブメントを保護している。
【００２２】
底部緩衝体１５は底部２０ｂの凹部２０ｃ内に収められ軸方向の衝撃を吸収し、ムーブメントを保護している。また凹部２０ｃの内周壁により緩衝体１５が変位変形するのを防止している。
更に、緩衝体１５を貫通してアース用のバネ７７が内胴２０に導通されている。従って、バネ７７が外れることがない。
【００２３】
巻真連結部材６２とムーブメント３０との間に巻真６０を囲んで金属製で環状の軸方向移動規制部材４２が設けられている。更に、竜頭５８がネジ５７で支持筒５６に固定された状態では、竜頭５８の外側面がガードパイプ４１の外周面より内方に位置している。
【００２４】
外胴２１の底部には円形の開口４４が形成され、そこより緩衝体３５の底面３５ａが露出している。また緩衝体の一部が内胴の底の一部を掩いまたそこより外方に突出している。
外胴２１は金属で作られているので、外部の異物との接触、衝突等による損傷、磨耗等の不都合を生ずることはない。
また、外胴２１と内胴２０を固定する固定ネジ３６は、外胴２１に螺合し、その先端部３６ｃは内胴２０の孔３７に挿入された緩衝体３８内に係合しているので、固定ネジに外部より衝撃を加えられても、内胴に及ぶことはなく、内胴内のムーブメント、モジュール等を破損することはない。
【００２５】
更に、ネジロック竜頭の巻真連結部材６２とムーブメント３０との間に巻真６０を囲んで環状の移動規制部材４２が設けられているので、竜頭５８に衝撃が加えられても巻真連結部材６２は動くことなく、従って巻真を押し込みムーブメント内部の部材を破損することはない。また、竜頭５８の外側面がガードパイプ４１の外周面より内方に位置しているので、衝撃が竜頭に直接加わることがない。従って、衝撃によって巻真が損傷することがない。
又、緩衝体３５の底面３５ａが外胴２１の開口４４内に露出し、また内胴の底より突出しているので、ケースを落とした時の内胴に対する緩衝が得られる。更に、緩衝体３５が手首に柔軟に接するので、装着感が向上する。
又、係合部材４３の端部４３ｃが緩衝体３５の孔に係合しているので、緩衝体が移動したり、外れたりすることがない。
尚、上記の実施例においては、固定手段をネジとしたが、かかる固定手段は、接着、圧入、ロー付け、あるいは溶接などの他の知られた手段に代えてもかまわない。
更に、緩衝体としては、ポリウレタンゴムなどの柔軟な素材が好ましいが、衝撃を緩衝できるものであれば、何であってもかまわない。例えば、金属製のコイルスプリングであっても良い。
【００２６】
図１０は本発明の変形例を示す断面図である。
この例においては固定ネジ３５が内胴２０の内側より、内胴のネジ部に螺入され、カップ状緩衝体３８が外胴２１の孔に挿入され、ネジの小径端部３６ｃが之に係合している。
この例においても、緩衝体３８により外胴２１に加わる衝撃を緩和することができる。
【００２７】
図１１は他の変形例を示す断面図である。この例においては、固定ネジ４０の本体は同一径で、ネジ４７が内胴２０のネジに螺入され、ネジ４６と緩衝体３８との間に筒状の緩衝体５０が嵌合されている。
この実施形態においては、緩衝体５０によって外胴２１に加わる衝撃を緩和する。
【００２８】
【発明の効果】
本発明によれば、あらゆる衝撃に対し、ケース内の部品、特にムーブメント及び風防を保護し、事故を防ぐことができる。
【図面の簡単な説明】
【図１】本発明によるケースを用いた腕時計の平面図である。
【図２】同正面図である。
【図３】断面図である。
【図４】図１のＩＶ−ＩＶ断面図である。
【図５】図１のＶ−Ｖ断面図である。
【図６】図１のＶＩ−ＶＩ断面図である。
【図７】本発明による時計ケース全体の分解斜視図である。
【図８】本発明による時計ケース全体の分解斜視図である。
【図９】本発明による時計ケースの分解断面図である。
【図１０】本発明の第一の変形例を示す断面図である。
【図１１】本発明の第二の変形例を示す断面図である。
【図１２】従来の時計ケースを示す断面図である。
【符号の説明】
１  内胴
２  外胴
３  緩衝体
４  固定ネジ
１３  ベゼル
１４  筒状緩衝体
１４ａ  段部
１５  底部緩衝体
１６  文字板固定部
１７  ソーラーセル
１８、１９  パッキン
２０  内胴
２０ａ  本体
２０ｂ  底部
２０ｃ  凹部
２１  外胴
２２  バンド
２３  連結脚
２４  頂部緩衝体
２４ａ  孔
２５  風防受け部材
２５ａ  凹部
２６  見返しリング緩衝体
２７  見返しリング
２７ａ，２７ｂ  延長部
２８  ムーブメント緩衝体
２８ａ  段部
３０  ムーブメント
３１  耐磁部材
３２  ネジ
３３  風防
３４  文字板
３５  外周緩衝体
３５ａ  底面
３６  固定ネジ
３６ａ  頭部
３６ｂ  大径部ネジ
３６ｃ  小径先端部
３７  孔
３８  カップ状緩衝体
３９  凹凸部
４０  ネジロック竜頭
４１  ガードパイプ
４２  移動規制部材
４４  開口
４６  固定ネジ
４７  ネジ
５０  筒状緩衝体
５５  孔
５６  支持筒
５７  ネジ
５８  竜頭
６０  巻真
６１  ネジ
６２  巻真連結部材
６３  コイルスプリング
６４  係合孔部
６５  外壁多角形係合部
７０  ネジ
７１、７２  段部
７３  環状突起
７４、７５  斜面
７７  バネ
【図１】
0004398532.tif 000002
【図２】
0004398532.tif 000003
【図３】
0004398532.tif 000004
【図４】
0004398532.tif 000005
【図５】
0004398532.tif 000006
【図６】
0004398532.tif 000007
【図７】
0004398532.tif 000008
【図８】
0004398532.tif 000009
【図９】
0004398532.tif 000010
【図１０】
0004398532.tif 000011
【図１１】
0004398532.tif 000012
【図１２】
0004398532.tif 000013